(57)【要約】      （修正有）【課題】ホースバンドを電動工具のモーター部に確実・簡単に嵌挿せしめ、嵌挿後は強固に固着しホースバンドを介して離脱未然に防止する電動工具用吊下具を提供する。【解決手段】電動工具ｅのモーター部１をなす筒状外周部２の上方部３より左側方部４と右側方部にかけて、強固に押圧嵌着し幅員が広く帯状にして、焼入れ工程を施し弾力性を有し、切替スイッチの操作用の窓孔を形成してモーター部１の後方部２４方向に締付けバンド部２５を挿入する引掛け部２６を延設する湾曲状バンド体ａを形成し、左側方部４ａの外側面４ｂにバンド体ａの長手方向に対し直角状にして、接続体ｃを固着し、湾曲状係止部７の端部を延設する上方スライド脚８と下方スライド脚９を延設し、ストッパー１０、１１を取着するスライド体ｂを形成し、上方挿入部１２と下方挿入部１３の右側方に係止部７が位置するように上方スライド脚８と下方スライド脚９を挿入した。【選択図】図１
0003155762.tif 000002
【実用新案登録請求の範囲】
【請求項１】
電動工具のモーター部を構成する筒状外周部の上方部より左側方部と右側方部にかけて、強固に押圧嵌着し、幅員が広く帯状にして、且焼入れ工程を施し弾力性を有し、前記電気工具のモーター部の上方部に設けられている切替スイッチの操作をスムーズに行うための窓孔を形成し、前記窓孔を前記モーター部の後方部方向に締付けバンド部を挿入する引掛け部を延設する湾曲状バンド体を形成し、前記バンド体の左側方部の外側面に、前記バンド体の長手方向に対し直角状にして、且所定の間隔を有する上方挿入部と下方挿入部とを形成する接続体を固着し、前記接続体の上方挿入部と下方挿入部に、湾曲状係止部の夫々の端部を延設する上方スライド脚と下方スライド脚を延設し、前記上方スライド脚と下方スライド脚の端部にストッパーを取着するスライド体を形成し、前記上方挿入部と下方挿入部の右側方に前記係止部が位置するように前記上方スライド脚と下方スライド脚を挿入せしめることを特徴とする電動工具用吊下げ具。
【請求項２】
前記バンド体の窓孔の右側方に前記バンド体の長手方向に対し直角状に延設するホースバンド部を係止する引掛け部を延設せしめることを特徴とする請求項１に記載の電動工具用吊下げ具である。
【請求項３】
前記バンド体に、補強用リブを設けることを特徴とする請求項１又は２に記載の電動工具用吊下げ具。
【請求項４】
前記バンド体の左側方部と右側方部の夫々の端部に、前記バンド体を外側方に開放せしめ前記モーター部の筒状外周部への嵌着をスムーズにする開放部材を接続せしめると共に、前記開放部材は前記バンド体が前記モーター部に嵌着すると、前記接続体及びバンド体の方向に密着するようにはね上げが可能にすることを特徴とする請求項１〜３のいずれか１項に記載した電動工具用吊下げ具。
【請求項５】
前記補強用リブが、前記バンド体の湾曲状にならって前記バンド体を構成する前方部と後方部の上方部から左側方部と右側方部の方向に突設せしめることを特徴とする請求項１〜４のいずれか１項に記載した電動工具用吊下げ具。
【請求項６】
前記開放部材が、前記バンド体の端部から離脱状態に挿込まれていることを特徴とする請求項１〜５のいずれか１項に記載した電動工具用吊下げ具。
【請求項７】
前記バンド体の折曲部が、前方部と後方部に対し直角状に、しかも所定の間隔おきに折曲部を形成せしめることを特徴とする請求項１又は６のいずれかに記載した電動工具用吊下げ具。
【考案の詳細な説明】
【技術分野】
【０００１】
本考案は、電動工具用吊下げ具の分野に関するものである。
【背景技術】
【０００２】
従来電動工具用吊下げ具として、電動工具のモーター部の外周全体にバンドを捲廻し、捲廻したバンドを締め付けるための締付け具が取着されている。
【０００３】
例えば、特開２００６−２３９８５１（携帯電動工具用係止具）の図１、３、４においては、締付けリング１６に備えられているスクリューボルト（記号付）付き取付け具１５が開示されている。
【０００４】
さらに、実用新案登録第３１３４８０８号の登録実用新案公報（電動工具用吊り下げ具）における段落番号〔０００５〕において、「最後にモーター部１０の後方のサイド体２やスライド部材３とモーター部１０の外周を、リング状のホースバンド５によりモーター部１０の大きさに応じて締め付ける（図１参照）。」とスクリューボルト（記号付）付きホースバンド５を締め付ける技術が開示されている。
【０００５】
また、実開平６−３１９７８公開実用新案公報の電動工具用ホルダの図１、２において、自在バンド２０に取着されているスクリューボルト２４付き締め付け部２３が開示されている。
【先行技術文献】
【特許文献】
【０００６】
【特許文献１】特開２００６−２３９８５１公開特許公報
【特許文献２】実用新案登録第３１３４８０８号登録実用新案公報
【特許文献３】実開平６−３１９７８公開実用新案公報
【考案の概要】
【考案が解決しようとする課題】
【０００７】
前記したとおり、３件の開示公報のバンドは、モーター部に嵌挿し締め付ける際に、殊に本件出願人は、モーター部の損傷防止のために手廻し用ドライバーを挿込み手加減をしながら前記バンドを締め付けないようにと親切に説明文を付記したシール等を製品に付して販売しているにも拘らず、応々にして電動工具のドライバーで回転し、適度の締付けのレベルを越えてバンドをきつく締め付けてしまい、電動工具のモーター部を損傷するケースもあった。
【０００８】
しかるに、本考案は、前記各特許文献１に記載されたホースバンドを締め付けるスクリューボルトを不要にして、前記ホースバンドを電動工具のモーター部に確実にして、しかも簡単に嵌挿せしめると共に、嵌挿後は強固に固着し、ホースバンドを介して離脱未然に防止した電動工具用吊下げ具を創作したものである。
【０００９】
さらに本考案の電動工具用吊下げ具のバンド体は、従来の同吊り下げ具のホースバンドの幅員より倍以上も広くし、且前記ホースバンドの前方部と下方部に外部に膨出する突出状のリブを形成せしめてホースバンド強度を補強し、さらにホースバンドの内側面とモーター部の表面部との摩擦抵抗力を著しく大きくして、前記電気工具と吊り下げ具とが容易に離脱しないように創作した。
【００１０】
また本考案のバンド体は、両端部に開閉部材を接続せしめて、モーター部への嵌挿作業をスムーズにできるように創作した。
【００１１】
さらに本考案のバンド体は、開閉部材を吊り下げ具がモーター部への嵌挿後上方向にはね上げ、使用者の握持作業をスムーズにできるように創作した。
【００１２】
また本考案のバンド体は、モーター部の外周表面部に形成されている突出部に係止する折曲部を形成して摩擦抵抗力を付け離脱しないように創作したものである。
【００１３】
さらに本考案は、バンド体の上面部に窓孔を設けて、電動工具のモーター部の上面部に装着されている切替スイッチの操作をスムーズにした。
【００１４】
また本考案のバンド体は、バンド部を係止する引掛け部を形成して、前記バンド体がモーター部から容易に離脱しないようにした。
【課題を解決するための手段】
【００１５】
課題を解決するための手段として、請求項１記載の考案は、電動工具ｅのモーター部１を構成する筒状外周部２の上方部３より左側方部４と右側方部５にかけて、強固に押圧嵌着し、幅員が広く帯状にして、且焼入れ工程を施し弾力性を有し、前記電気工具ｅのモーター部１の上方部３に設けられている切替スイッチ２２の操作をスムーズに行うための窓孔２３を形成し、前記窓孔２３を前記モーター部１の後方部２４方向に締付けバンド部２５を挿入する引掛け部２６を延設する湾曲状バンド体ａを形成し、前記バンド体ａの左側方部４ａの外側面４ｂに、前記バンド体ａの長手方向に対し直角状にして、且所定の間隔を有する上方挿入部１２と下方挿入部１３とを形成する接続体ｃを固着し、前記接続体ｃの上方挿入部１２と下方挿入部１３に、湾曲状係止部７の夫々の端部を延設する上方スライド脚８と下方スライド脚９を延設し、前記上方スライド脚８と下方スライド脚９の端部にストッパー１０、１１を取着するスライド体ｂを形成し、前記上方挿入部１２と下方挿入部１３の右側方に前記係止部７が位置するように前記上方スライド脚８と下方スライド脚９を挿入せしめることを特徴とする電動工具用吊下げ具である。
【００１６】
課題を解決するための手段として、請求項２記載の考案は、前記バンド体ａの窓孔２３の右側方に前記バンド体ａの長手方向に対し直角状に延設するホースバンド部２５を係止する引掛け部２６を延設せしめることを特徴とする請求項１に記載の電動工具用吊下げ具である。
【００１７】
課題を解決するための手段として、請求項３記載の考案は、前記バンド体ａに、補強用リブ１５を設けることを特徴とする請求項１又は２に記載の電動工具用吊下げ具である。
【００１８】
課題を解決するための手段として、請求項４記載の考案は、前記バンド体ａの左側方部４ａと右側方部５ａの夫々の端部１６、１７に、前記バンド体ａを外側方に開放せしめ前記モーター部１の筒状外周部２への嵌着をスムーズにする開放部材ｄを接続せしめると共に、前記開放部材ｄは前記バンド体ａが前記モーター部１に嵌着すると、前記接続体ｃ及びバンド体ａの方向に密着するようにはね上げを可能にすることを特徴とする請求項１〜３のいずれか１項に記載した電動工具用吊下げ具である。
【００１９】
課題を解決するための手段として、請求項５記載の考案は、前記補強用リブ１５が、前記バンド体ａの湾曲状にならって前記バンド体ａを構成する前方部１８と後方部１９の上方部から左側方部４ａと右側方部５ａの方向に突設せしめることを特徴とする請求項１〜４のいずれか１項に記載した電動工具用吊下げ具である。
【００２０】
課題を解決するための手段として、請求項６記載の考案は、前記開放部材ｄが、前記バンド体ａの端部１６、１７から離脱状態に挿込まれていることを特徴とする請求項１〜５のいずれか１項に記載した電動工具用吊下げ具である。
【００２１】
課題を解決するための手段として、請求項７記載の考案は、前記バンド体ａの折曲部２１が、前方部１８と後方部１９に対し直角状に、しかも所定の間隔おきに折曲部２１を形成せしめることを特徴とする請求項１又は６のいずれかに記載した電動工具用吊下げ具である。
【考案の効果】
【００２２】
請求項１に記載の考案は、電動工具ｅのモーター部１を構成する筒状外周部２の上方部３より左側方部４と右側方部５にかけて、強固に押圧嵌着し、幅員が広く帯状にして、且焼入れ工程を施し弾力性を有し、前記電気工具ｅのモーター部１の上方部３に設けられている切替スイッチ２２の操作をスムーズに行うための窓孔２３を形成し、前記窓孔２３を前記モーター部１の後方部２４方向に締付けバンド部２５を挿入する引掛け部２６を延設する湾曲状バンド体ａを形成し、前記バンド体ａの左側方部４ａの外側面４ｂに、前記バンド体ａの長手方向に対し直角状にして、且所定の間隔を有する上方挿入部１２と下方挿入部１３とを形成する接続体ｃを固着し、前記接続体ｃの上方挿入部１２と下方挿入部１３に、湾曲状係止部７の夫々の端部を延設する上方スライド脚８と下方スライド脚９を延設し、前記上方スライド脚８と下方スライド脚９の端部にストッパー１０、１１を取着するスライド体ｂを形成し、前記上方挿入部１２と下方挿入部１３の右側方に前記係止部７が位置するように前記上方スライド脚８と下方スライド脚９を挿入せしめる電動工具用吊下げ具なので、バンド体の締付け時生じていたモーター部への電動工具のドライバービットにより締付けによるモーター胴部の損傷を未然に防止すると共に、電動工具の製品寿命を延長せしめて経済的効果を発揮できる利点がある。
【００２３】
さらに本考案の吊り下げ具は、従来の電動工具用吊下げ具のように、各メーカーの機種に応じた多品種の製品を取揃える必要はなく、単品でどのメーカーのものに対応できる利点を有している。
【００２４】
また本考案は、窓孔を設けて電動工具の上面部に設置されている切替スイッチの操作をスムーズにした。
【００２５】
請求項２に記載の考案は、課題を解決するための手段として、請求項２記載の考案は、前記バンド体ａの窓孔２３の右側方に前記バンド体ａの長手方向に対し直角状に延設するホースバンド部２５を係止する引掛け部２６を延設せしめる請求項１に記載の電動工具用吊下げ具なので、前記請求項１に記載の考案と同じ効果を有している。
【００２６】
請求項３に記載の考案は、前記バンド体ａに、補強用リブ１５を設ける電動工具用吊下げ具なので、モーター部への締付け強度を長時間に亘って確保できる利点を有している。
【００２７】
請求項４に記載の考案は、前記バンド体ａの左側方部４ａと右側方部５ａの夫々の端部１６、１７に、前記バンド体ａを外側方に開放せしめ前記モーター部１の筒状外周部２への嵌着をスムーズにする開放部材ｄを接続せしめると共に、前記開放部材ｄは前記バンド体ａが前記モーター部１に嵌着すると、前記接続体ｃ及びバンド体ａの方向に密着するようにはね上げを可能にする電動工具用吊下げ具なので、前記請求項１に記載の考案と同じ効果を有すると共に、モーター部への嵌込作業が極めて容易にできる。
【００２８】
請求項５に記載の考案は、前記補強用リブ１５が、前記バンド体ａの湾曲状にならって前記バンド体ａを構成する前方部１８と後方部１９の上方部から左側方部４ａと右側方部５ａの方向に突設せしめる請求項１〜４のいずれか１項に記載した電動工具用吊下げ具なので、請求項１に記載の考案と同じ効果を有すつと共に、吊り下げ具の嵌着強度を著しく高める利点がある。
【００２９】
請求項６に記載の考案は、前記開放部材ｄが、前記バンド体ａの端部１６、１７から離脱状態に挿込まれている電動工具用吊下げ具なので、請求項１に記載の考案と同じ効果を有している。
【００３０】
請求項７に記載の考案は、前記バンド体ａの折曲部２１が、前方部１８と後方部１９に対し直角状に、しかも所定の間隔おきに折曲部２１を形成せしめる電動工具用吊下げ具なので、請求項１に記載の考案と同じ効果を有している。
【図面の簡単な説明】
【００３１】
【図１】本考案の電動工具用吊下げ具を電動工具に嵌着せしめた状態の一部切欠正面図である。
【００３２】
【図２】同吊り下げ具を取付けた電動工具の斜視図である。
【００３３】
【図３】同吊り下げ具の一部切欠平面図である。
【００３４】
【図４】同吊り下げ具の右側面図である。
【考案を実施するための最良の形態】
【００３５】
本考案の電動工具用吊下げ具の好適な実施形態を、以下図面にしたがって説明する。なお、請求項１〜７記載の考案の実施の形態は共通しているので、以下のとおり一括して説明する。
【００３６】
本考案の電動工具用吊下げ具は、引掛け部２６付きバンド体ａとスライド体ｂと接続体ｃを一体に組合せたものであり、以下各構成部材について詳述する。
【００３７】
図において、ａは電動工具ｅのモーター部１を構成する筒状外周部２の上方部３より左側方部４と右側方部５にかけて、強固に嵌着し、幅員が広い帯状にして、且焼入れを施し弾力性を有する湾曲状バンド体である。
【００３８】
前記バンド体ａは、従来の吊り下げ具を構成しているホースバンドの幅員よりも、倍以上の幅員にして、且鋼板製を打抜いた素材に、焼入れ処理を施して弾力性を著増せしめる。
【００３９】
さらに、前記バンド体ａは、前記電動工具ｅのモーター部１の上方部３に設けられている切替スイッチ２２の操作をスムーズに行うための窓孔２３を形成する。そして前記窓孔２３の右側方部の前記モーター部１の後方部２４方向に締付けバンド部２５を挿入する引掛け部２６を延設する。
【００４０】
また、前記バンド体ａにリブ１５を形成するが、前記リブ１５はバンド体ａの湾曲状にならって前方部１８と後方部１９の上方部から左側方部４と右側方部５の方向に一体として外側方に突設状態にして形成する。
【００４１】
さらに、前記バンド体ａの左側方部４と右側方部５の夫々の端部１６、１７に、前記バンド体ａを外側方に開放せしめ前記モーター部１の筒状外周部２への嵌着をスムーズにする開放部材ｄを接続せしめる。
【００４２】
また、前記開放部材ｄは、前記バンド体ａが前記モーター部１に嵌着すると、はね上げて前記接続体ｃ及びバンド体ａの方向に密着させる。
【００４３】
さらに、本考案は、前記バンド体ａに、平行状の前方部１８と後方部１９に対し直角状にして、且所定間隔の折曲部２１を形成せしめる。
【００４４】
また前記バンド体ａは、内側方に飛出する爪部（図面上記載なし）を複数突設してもよい。そのためバンド体ａがモーター部１の表面に突刺状態となって係止強度が著増する。
【００４５】
図において、ｂはスライド体であり以下の構成からなっている。
【００４６】
このスライド体ｂは、湾曲状係止部７の夫々の端部を延設して形成する上方スライド脚８と下方スライド脚からなり、且前記上方スライド脚８と下方スライド脚９の端部に、ストッパー１０、１１を取着する形態である。
そしてこのスライド体ｂは、前記バンド体ａの左側方部４ａの外側面４ｂに、前記バンド体ａの長手方向に対し直角状に固着した接続体ｃの上方部と下方部に取着した上方挿入部１２と下方挿入部１３に、前記上方スライド脚８と下方スライド脚９を挿入する。そして挿入後前記上方スライド脚８と下方スライド脚９の端部に、ストッパー１０、１１を取着し組立てる。      
【００４７】
そして前記接続体ｃは、平板状である。また接続体ｃは、接続具１４をもって前記バンド体ａに接着する。
【００４８】
前記スライド体ｂは、前記接続体ｃに組立てられると、係止部７が右側方に位置し上下スライド脚８、９が前記上方挿入部１２と下方挿入部１３に挿入され、左右方向にスライドが可能となる。
【００４９】
さらに前記開放部材ｄは、前記バンド体ａの端部１６、１７から離脱状態に挿込んで組立てることもできる。
【００５０】
また本考案は、バンド体ａを電動工具ｅのモーター部１の筒状外周部２に嵌着するには以下の手順にて行うものである。
【００５１】
すなわち、２つの前記開放部材ｄに左手指と右手指を引掛け外側方に展開してやると、前記バンド体ａが若干開きぎみとなる。前記のように左右両手指を引掛け外側方に展開させながら、前記モーター部１の外周部２に前記バンド体ａの下方開口部を嵌込むと、前記バンド体ａが前記モーター部１に嵌着する。そしてバンド部２５を引掛け部２６に挿入し引掛け前記モーター部１に捲廻する。その結果前記バンド体ａがモーター部１から容易に離脱しない。
【００５２】
２０はバンド体ａの右側方部を切り起し前記接続体ｃの右側端部に当接するストッパー２０である。そのため前記接続体ｃとスライド体ｂが回動するのを阻止する。
【００５３】
２７は前記引掛け部２６とバンド体ａとを接続するネジである。
【符号の説明】
【００５４】
ａ      バンド体
ｂ      スライド体
ｃ      接続体
ｄ      開放部材
ｅ      電動工具
１      モーター部
２      外周部
３      上方部
４ａ    左側方部
４ｂ    外側面
５      右側方部
６      外側面
７      係止部
８      上方スライド部
９      下方スライド部
１０    ストッパー
１１    ストッパー
１２    上方挿入部
１３    下方挿入部
１４    接続具
１５    リブ
１６    端部
１７    端部
１８    前方部
１９    後方部
２０    ストッパー
２１    折曲部
２２    切替スイッチ
２３    窓孔
２４    後方部
２５    バンド部
２６    引掛け部
２７    ネジ
【図１】
0003155762.tif 000003
【図２】
0003155762.tif 000004
【図３】
0003155762.tif 000005
【図４】
0003155762.tif 000006
【手続補正書】
【提出日】平成21年9月30日(2009.9.30)
【手続補正１】
【補正対象書類名】明細書
【補正対象項目名】全文
【補正方法】変更
【補正の内容】
【考案の詳細な説明】
【技術分野】
【０００１】
本考案は、電動工具用吊下げ具の分野に関するものである。
【背景技術】
【０００２】
従来電動工具用吊下げ具として、電動工具のモーター部の外周全体にバンドを捲廻し、捲廻したバンドを締め付けるための締付け具が取着されている。
【０００３】
例えば、特開２００６−２３９８５１（携帯電動工具用係止具）の図１、３、４においては、締付けリング１６に備えられているスクリューボルト（記号付）付き取付け具１５が開示されている。
【０００４】
さらに、実用新案登録第３１３４８０８号の登録実用新案公報（電動工具用吊り下げ具）における段落番号〔０００５〕において、「最後にモーター部１０の後方のサイド体２やスライド部材３とモーター部１０の外周を、リング状のホースバンド５によりモーター部１０の大きさに応じて締め付ける（図１参照）。」とスクリューボルト（記号付）付きホースバンド５を締め付ける技術が開示されている。
【０００５】
また、実開平６−３１９７８公開実用新案公報の電動工具用ホルダの図１、２において、自在バンド２０に取着されているスクリューボルト２４付き締め付け部２３が開示されている。
【先行技術文献】
【特許文献】
【０００６】
【特許文献１】特開２００６−２３９８５１公開特許公報
【特許文献２】実用新案登録第３１３４８０８号登録実用新案公報
【特許文献３】実開平６−３１９７８公開実用新案公報
【考案の概要】
【考案が解決しようとする課題】
【０００７】
前記したとおり、３件の開示公報のバンドは、モーター部に嵌挿し締め付ける際に、殊に本件出願人は、モーター部の損傷防止のために手廻し用ドライバーを挿込み手加減をしながら前記バンドを締め付けないようにと親切に説明文を付記したシール等を製品に付して販売しているにも拘らず、応々にして電動工具のドライバーで回転し、適度の締付けのレベルを越えてバンドをきつく締め付けてしまい、電動工具のモーター部を損傷するケースもあった。
【０００８】
しかるに、本考案は、前記各特許文献１に記載されたホースバンドを締め付けるスクリューボルトを不要にして、前記ホースバンドを電動工具のモーター部に確実にして、しかも簡単に嵌挿せしめると共に、嵌挿後は強固に固着し、ホースバンドを介して離脱未然に防止した電動工具用吊下げ具を創作したものである。
【０００９】
さらに本考案の電動工具用吊下げ具のバンド体は、従来の同吊り下げ具のホースバンドの幅員より倍以上も広くし、且前記ホースバンドの前方部と下方部に外部に膨出する突出状のリブを形成せしめてホースバンド強度を補強し、さらにホースバンドの内側面とモーター部の表面部との摩擦抵抗力を著しく大きくして、前記電動工具と吊り下げ具とが容易に離脱しないように創作した。
【００１０】
また本考案のバンド体は、両端部に開閉部材を接続せしめて、モーター部への嵌挿作業をスムーズにできるように創作した。
【００１１】
さらに本考案のバンド体は、開閉部材を吊り下げ具がモーター部への嵌挿後上方向にはね上げ、使用者の握持作業をスムーズにできるように創作した。
【００１２】
また本考案のバンド体は、モーター部の外周表面部に形成されている突出部に係止する折曲部を形成して摩擦抵抗力を付け離脱しないように創作したものである。
【００１３】
さらに本考案は、バンド体の上面部に窓孔を設けて、電動工具のモーター部の上面部に装着されている切替スイッチの操作をスムーズにした。
【００１４】
また本考案のバンド体は、バンド部を係止する引掛け部を形成して、前記バンド体がモーター部から容易に離脱しないようにした。
【課題を解決するための手段】
【００１５】
課題を解決するための手段として、請求項１記載の考案は、電動工具ｅのモーター部１を構成する筒状外周部２の上方部３より左側方部４と右側方部５にかけて、強固に押圧嵌着し、幅員が広く帯状にして、且焼入れ工程を施し弾力性を有し、前記電動工具ｅのモーター部１の上方部３に設けられている切替スイッチ２２の操作をスムーズに行うための窓孔２３を形成し、前記窓孔２３を前記モーター部１の後方部２４方向に締付けバンド部２５を挿入する引掛け部２６を延設する湾曲状バンド体ａを形成し、前記バンド体ａの左側方部４ａの外側面４ｂに、前記バンド体ａの長手方向に対し直角状にして、且所定の間隔を有する上方挿入部１２と下方挿入部１３とを形成する接続体ｃを固着し、前記接続体ｃの上方挿入部１２と下方挿入部１３に、湾曲状係止部７の夫々の端部を延設する上方スライド脚８と下方スライド脚９を延設し、前記上方スライド脚８と下方スライド脚９の端部にストッパー１０、１１を取着するスライド体ｂを形成し、前記上方挿入部１２と下方挿入部１３の右側方に前記係止部７が位置するように前記上方スライド脚８と下方スライド脚９を挿入せしめることを特徴とする電動工具用吊下げ具である。
【００１６】
課題を解決するための手段として、請求項２記載の考案は、前記バンド体ａの窓孔２３の右側方に前記バンド体ａの長手方向に対し直角状に延設するホースバンド部２５を係止する引掛け部２６を延設せしめることを特徴とする請求項１に記載の電動工具用吊下げ具である。
【００１７】
課題を解決するための手段として、請求項３記載の考案は、前記バンド体ａに、補強用リブ１５を設けることを特徴とする請求項１又は２に記載の電動工具用吊下げ具である。
【００１８】
課題を解決するための手段として、請求項４記載の考案は、前記バンド体ａの左側方部４ａと右側方部５ａの夫々の端部１６、１７に、前記バンド体ａを外側方に開放せしめ前記モーター部１の筒状外周部２への嵌着をスムーズにする開放部材ｄを接続せしめると共に、前記開放部材ｄは前記バンド体ａが前記モーター部１に嵌着すると、前記接続体ｃ及びバンド体ａの方向に密着するようにはね上げを可能にすることを特徴とする請求項１〜３のいずれか１項に記載した電動工具用吊下げ具である。
【００１９】
課題を解決するための手段として、請求項５記載の考案は、前記補強用リブ１５が、前記バンド体ａの湾曲状にならって前記バンド体ａを構成する前方部１８と後方部１９の上方部から左側方部４ａと右側方部５ａの方向に突設せしめることを特徴とする請求項１〜４のいずれか１項に記載した電動工具用吊下げ具である。
【００２０】
課題を解決するための手段として、請求項６記載の考案は、前記開放部材ｄが、前記バンド体ａの端部１６、１７から離脱状態に挿込まれていることを特徴とする請求項１〜５のいずれか１項に記載した電動工具用吊下げ具である。
【００２１】
課題を解決するための手段として、請求項７記載の考案は、前記バンド体ａの折曲部２１が、前方部１８と後方部１９に対し直角状に、しかも所定の間隔おきに折曲部２１を形成せしめることを特徴とする請求項１又は６のいずれかに記載した電動工具用吊下げ具である。
【考案の効果】
【００２２】
請求項１に記載の考案は、電動工具ｅのモーター部１を構成する筒状外周部２の上方部３より左側方部４と右側方部５にかけて、強固に押圧嵌着し、幅員が広く帯状にして、且焼入れ工程を施し弾力性を有し、前記電動工具ｅのモーター部１の上方部３に設けられている切替スイッチ２２の操作をスムーズに行うための窓孔２３を形成し、前記窓孔２３を前記モーター部１の後方部２４方向に締付けバンド部２５を挿入する引掛け部２６を延設する湾曲状バンド体ａを形成し、前記バンド体ａの左側方部４ａの外側面４ｂに、前記バンド体ａの長手方向に対し直角状にして、且所定の間隔を有する上方挿入部１２と下方挿入部１３とを形成する接続体ｃを固着し、前記接続体ｃの上方挿入部１２と下方挿入部１３に、湾曲状係止部７の夫々の端部を延設する上方スライド脚８と下方スライド脚９を延設し、前記上方スライド脚８と下方スライド脚９の端部にストッパー１０、１１を取着するスライド体ｂを形成し、前記上方挿入部１２と下方挿入部１３の右側方に前記係止部７が位置するように前記上方スライド脚８と下方スライド脚９を挿入せしめる電動工具用吊下げ具なので、バンド体の締付け時生じていたモーター部への電動工具のドライバービットにより締付けによるモーター胴部の損傷を未然に防止すると共に、電動工具の製品寿命を延長せしめて経済的効果を発揮できる利点がある。
【００２３】
さらに本考案の吊り下げ具は、従来の電動工具用吊下げ具のように、各メーカーの機種に応じた多品種の製品を取揃える必要はなく、単品でどのメーカーのものに対応できる利点を有している。
【００２４】
また本考案は、窓孔を設けて電動工具の上面部に設置されている切替スイッチの操作をスムーズにした。
【００２５】
請求項２に記載の考案は、課題を解決するための手段として、請求項２記載の考案は、前記バンド体ａの窓孔２３の右側方に前記バンド体ａの長手方向に対し直角状に延設するホースバンド部２５を係止する引掛け部２６を延設せしめる請求項１に記載の電動工具用吊下げ具なので、前記請求項１に記載の考案と同じ効果を有している。
【００２６】
請求項３に記載の考案は、前記バンド体ａに、補強用リブ１５を設ける電動工具用吊下げ具なので、モーター部への締付け強度を長時間に亘って確保できる利点を有している。
【００２７】
請求項４に記載の考案は、前記バンド体ａの左側方部４ａと右側方部５ａの夫々の端部１６、１７に、前記バンド体ａを外側方に開放せしめ前記モーター部１の筒状外周部２への嵌着をスムーズにする開放部材ｄを接続せしめると共に、前記開放部材ｄは前記バンド体ａが前記モーター部１に嵌着すると、前記接続体ｃ及びバンド体ａの方向に密着するようにはね上げを可能にする電動工具用吊下げ具なので、前記請求項１に記載の考案と同じ効果を有すると共に、モーター部への嵌込作業が極めて容易にできる。
【００２８】
請求項５に記載の考案は、前記補強用リブ１５が、前記バンド体ａの湾曲状にならって前記バンド体ａを構成する前方部１８と後方部１９の上方部から左側方部４ａと右側方部５ａの方向に突設せしめる請求項１〜４のいずれか１項に記載した電動工具用吊下げ具なので、請求項１に記載の考案と同じ効果を有すつと共に、吊り下げ具の嵌着強度を著しく高める利点がある。
【００２９】
請求項６に記載の考案は、前記開放部材ｄが、前記バンド体ａの端部１６、１７から離脱状態に挿込まれている電動工具用吊下げ具なので、請求項１に記載の考案と同じ効果を有している。
【００３０】
請求項７に記載の考案は、前記バンド体ａの折曲部２１が、前方部１８と後方部１９に対し直角状に、しかも所定の間隔おきに折曲部２１を形成せしめる電動工具用吊下げ具なので、請求項１に記載の考案と同じ効果を有している。
【図面の簡単な説明】
【００３１】
【図１】本考案の電動工具用吊下げ具を電動工具に嵌着せしめた状態の一部切欠正面図である。
【００３２】
【図２】同吊り下げ具を取付けた電動工具の斜視図である。
【００３３】
【図３】同吊り下げ具の一部切欠平面図である。
【００３４】
【図４】同吊り下げ具の右側面図である。
【考案を実施するための最良の形態】
【００３５】
本考案の電動工具用吊下げ具の好適な実施形態を、以下図面にしたがって説明する。なお、請求項１〜７記載の考案の実施の形態は共通しているので、以下のとおり一括して説明する。
【００３６】
本考案の電動工具用吊下げ具は、引掛け部２６付きバンド体ａとスライド体ｂと接続体ｃを一体に組合せたものであり、以下各構成部材について詳述する。
【００３７】
図において、ａは電動工具ｅのモーター部１を構成する筒状外周部２の上方部３より左側方部４と右側方部５にかけて、強固に嵌着し、幅員が広い帯状にして、且焼入れを施し弾力性を有する湾曲状バンド体である。
【００３８】
前記バンド体ａは、従来の吊り下げ具を構成しているホースバンドの幅員よりも、倍以上の幅員にして、且鋼板製を打抜いた素材に、焼入れ処理を施して弾力性を著増せしめる。
【００３９】
さらに、前記バンド体ａは、前記電動工具ｅのモーター部１の上方部３に設けられている切替スイッチ２２の操作をスムーズに行うための窓孔２３を形成する。そして前記窓孔２３の右側方部の前記モーター部１の後方部２４方向に締付けバンド部２５を挿入する引掛け部２６を延設する。
【００４０】
また、前記バンド体ａにリブ１５を形成するが、前記リブ１５はバンド体ａの湾曲状にならって前方部１８と後方部１９の上方部から左側方部４と右側方部５の方向に一体として外側方に突設状態にして形成する。
【００４１】
さらに、前記バンド体ａの左側方部４と右側方部５の夫々の端部１６、１７に、前記バンド体ａを外側方に開放せしめ前記モーター部１の筒状外周部２への嵌着をスムーズにする開放部材ｄを接続せしめる。
【００４２】
また、前記開放部材ｄは、前記バンド体ａが前記モーター部１に嵌着すると、はね上げて前記接続体ｃ及びバンド体ａの方向に密着させる。
【００４３】
さらに、本考案は、前記バンド体ａに、平行状の前方部１８と後方部１９に対し直角状にして、且所定間隔の折曲部２１を形成せしめる。
【００４４】
また前記バンド体ａは、内側方に飛出する爪部（図面上記載なし）を複数突設してもよい。そのためバンド体ａがモーター部１の表面に突刺状態となって係止強度が著増する。
【００４５】
図において、ｂはスライド体であり以下の構成からなっている。
【００４６】
このスライド体ｂは、湾曲状係止部７の夫々の端部を延設して形成する上方スライド脚８と下方スライド脚からなり、且前記上方スライド脚８と下方スライド脚９の端部に、ストッパー１０、１１を取着する形態である。
そしてこのスライド体ｂは、前記バンド体ａの左側方部４ａの外側面４ｂに、前記バンド体ａの長手方向に対し直角状に固着した接続体ｃの上方部と下方部に取着した上方挿入部１２と下方挿入部１３に、前記上方スライド脚８と下方スライド脚９を挿入する。そして挿入後前記上方スライド脚８と下方スライド脚９の端部に、ストッパー１０、１１を取着し組立てる。      
【００４７】
そして前記接続体ｃは、平板状である。また接続体ｃは、接続具１４をもって前記バンド体ａに接着する。
【００４８】
前記スライド体ｂは、前記接続体ｃに組立てられると、係止部７が右側方に位置し上下スライド脚８、９が前記上方挿入部１２と下方挿入部１３に挿入され、左右方向にスライドが可能となる。
【００４９】
さらに前記開放部材ｄは、前記バンド体ａの端部１６、１７から離脱状態に挿込んで組立てることもできる。
【００５０】
また本考案は、バンド体ａを電動工具ｅのモーター部１の筒状外周部２に嵌着するには以下の手順にて行うものである。
【００５１】
すなわち、２つの前記開放部材ｄに左手指と右手指を引掛け外側方に展開してやると、前記バンド体ａが若干開きぎみとなる。前記のように左右両手指を引掛け外側方に展開させながら、前記モーター部１の外周部２に前記バンド体ａの下方開口部を嵌込むと、前記バンド体ａが前記モーター部１に嵌着する。そしてバンド部２５を引掛け部２６に挿入し引掛け前記モーター部１に捲廻する。その結果前記バンド体ａがモーター部１から容易に離脱しない。
【００５２】
２０はバンド体ａの右側方部を切り起し前記接続体ｃの右側端部に当接するストッパー２０である。そのため前記接続体ｃとスライド体ｂが回動するのを阻止する。
【００５３】
２７は前記引掛け部２６とバンド体ａとを接続するネジである。
【符号の説明】
【００５４】
ａ      バンド体
ｂ      スライド体
ｃ      接続体
ｄ      開放部材
ｅ      電動工具
１      モーター部
２      外周部
３      上方部
４ａ    左側方部
４ｂ    外側面
５      右側方部
６      外側面
７      係止部
８      上方スライド部
９      下方スライド部
１０    ストッパー
１１    ストッパー
１２    上方挿入部
１３    下方挿入部
１４    接続具
１５    リブ
１６    端部
１７    端部
１８    前方部
１９    後方部
２０    ストッパー
２１    折曲部
２２    切替スイッチ
２３    窓孔
２４    後方部
２５    バンド部
２６    引掛け部
２７    ネジ
【手続補正２】
【補正対象書類名】実用新案登録請求の範囲
【補正対象項目名】全文
【補正方法】変更
【補正の内容】
【実用新案登録請求の範囲】
【請求項１】
電動工具のモーター部を構成する筒状外周部の上方部より左側方部と右側方部にかけて、強固に押圧嵌着し、幅員が広く帯状にして、且焼入れ工程を施し弾力性を有し、前記電動工具のモーター部の上方部に設けられている切替スイッチの操作をスムーズに行うための窓孔を形成し、前記窓孔を前記モーター部の後方部方向に締付けバンド部を挿入する引掛け部を延設する湾曲状バンド体を形成し、前記バンド体の左側方部の外側面に、前記バンド体の長手方向に対し直角状にして、且所定の間隔を有する上方挿入部と下方挿入部とを形成する接続体を固着し、前記接続体の上方挿入部と下方挿入部に、湾曲状係止部の夫々の端部を延設する上方スライド脚と下方スライド脚を延設し、前記上方スライド脚と下方スライド脚の端部にストッパーを取着するスライド体を形成し、前記上方挿入部と下方挿入部の右側方に前記係止部が位置するように前記上方スライド脚と下方スライド脚を挿入せしめることを特徴とする電動工具用吊下げ具。
【請求項２】
前記バンド体の窓孔の右側方に前記バンド体の長手方向に対し直角状に延設するホースバンド部を係止する引掛け部を延設せしめることを特徴とする請求項１に記載の電動工具用吊下げ具である。
【請求項３】
前記バンド体に、補強用リブを設けることを特徴とする請求項１又は２に記載の電動工具用吊下げ具。
【請求項４】
前記バンド体の左側方部と右側方部の夫々の端部に、前記バンド体を外側方に開放せしめ前記モーター部の筒状外周部への嵌着をスムーズにする開放部材を接続せしめると共に、前記開放部材は前記バンド体が前記モーター部に嵌着すると、前記接続体及びバンド体の方向に密着するようにはね上げが可能にすることを特徴とする請求項１〜３のいずれか１項に記載した電動工具用吊下げ具。
【請求項５】
前記補強用リブが、前記バンド体の湾曲状にならって前記バンド体を構成する前方部と後方部の上方部から左側方部と右側方部の方向に突設せしめることを特徴とする請求項３に記載した電動工具用吊下げ具。
【請求項６】
前記開放部材が、前記バンド体の端部から離脱状態に挿込まれていることを特徴とする請求項４に記載した電動工具用吊下げ具。
【請求項７】
前記バンド体の折曲部が、前方部と後方部に対し直角状に、しかも所定の間隔おきに折曲部を形成せしめることを特徴とする請求項１又は６のいずれかに記載した電動工具用吊下げ具。